(57)【要約】装用可能な注入装置用の安全装置が開示されている。安全装置は、起動ボタンの作動前及び後に注入装置の起動ボタンを保護することによって、注入装置の不用意な起動を防止するように構成されている。安全装置は、起動ボタンの近傍に、注入装置の本体から突出している壁部を含んでいる。カバー装置は、起動ボタンの作動に先立って起動ボタンをカバーしている。カバー装置は、注入装置の本体上を摺動する。カバーが起動ボタンをカバーしているとき、起動ボタンの上の位置にカバーを保持するために、起動ボタンに隣接する突出壁部によってカバーの動きが規制される。
2015512759.tif 000002
【特許請求の範囲】
【請求項１】
不用意な起動を防止する安全機能を有する注入装置であって、
ユーザの皮膚に取り付けるための本体、
当該本体内に収容されたリザーバであって、液体薬剤を含有するリザーバ、
薬剤をユーザの皮膚に送達するための送達針であって、当該本体内に収納されている送達針、
ユーザの皮膚内に薬剤を送達するために、ユーザの皮膚に薬剤を備える送達針を供給し、ユーザの皮膚内に当該送達針を駆動する駆動機構、
当該駆動機構を作動させるための起動ボタン、
当該起動ボタンの近くで本体から突出している壁部分、及び
第１のカバー位置において不用意な起動から起動ボタンを保護するために本体に取り付け可能なカバーであって、第２のカバーの位置においてユーザによる起動を可能にすべく起動ボタンを露出させるカバー、
を備えることを特徴とする注入装置。
【請求項２】
当該カバーは、当該カバーが第１の位置にあるときに起動ボタンを遮蔽するための球根状部分をさらに含み、当該球根状部分と起動ボタンとの間には、カバーの球根状部分が押圧された場合に起動ボタンの不用意な起動を防止するための十分な隙間が存することを特徴とする請求項１に記載の注入装置。
【請求項３】
当該カバーが第１の位置にあるとき、カバーの球根状部分は突出壁部分に接触し、当該カバーが突出壁部分を越えて摺動するのを防止していることを特徴とする請求項２に記載の注入装置。
【請求項４】
当該壁部分は、当該起動ボタンを部分的に遮蔽するように構成されていることを特徴とする請求項３に記載の注入装置。
【請求項５】
当該壁部分は、当該起動ボタンの周囲に沿って形成されていることを特徴とする請求項４に記載の注入装置。
【請求項６】
当該壁部分の縁部は、丸められていることを特徴とする請求項５項に記載の注入装置。
【請求項７】
当該カバーが第１の位置にあるとき、壁部分及びカバーが起動ボタンを不用意な起動から遮蔽することを特徴とする請求項５に記載の注入装置。
【請求項８】
当該本体は１つ以上のレール型の突起を含み、当該カバーは、カバーが本体に取り付け可能でかつ摺動可能であるように、１つ以上の対応する溝を含んでいることを特徴とする請求項１に記載の注入装置。
【請求項９】
当該カバーは、それぞれのレール型の突起及び溝に沿って本体に摺動可能であることを特徴とする請求項８に記載の注入装置。
【請求項１０】
当該本体は１つ以上の磁石を含み、当該カバーは、当該カバーが本体に取り付け可能であるように、対応する金属又は磁気構造を含んでいることを特徴とする請求項１に記載の注入装置。
【請求項１１】
当該カバーは１つ以上の磁石を含み、当該本体は、カバーが本体に取り付け可能かつ摺動可能であるように、対応する金属又は磁気構造を含んでいることを特徴とする請求項１に記載の注入装置。
【請求項１２】
当該カバーは、それぞれの磁石と対応する金属又は磁気構造に沿って本体に摺動可能であることを特徴とする請求項８に記載の注入装置。
【発明の詳細な説明】
【技術分野】
【０００１】
（関連出願のクロスリファレンス）
この出願は、２０１２年４月１３日に出願された米国仮特許出願第６１/６２４２１４号の優先権を主張するが、その開示内容はその全体が参照により本明細書に組み込まれている。
【０００２】
本発明は、注入装置、特に、パッチポンプのような装用可能な注入装置のための安全機能に関し、その安全機能は注入装置の不用意な起動を防止することである。
【背景技術】
【０００３】
患者に薬剤を送達するための装置は、当該技術分野で知られている。薬物送達装置の一つのタイプは、装用可能な注入装置すなわちパッチポンプとして識別されている。これらの装置は、インスリンなどの薬剤の自己投与用に患者の皮膚への付着が意図されている。装用可能な注入装置は、一般的に、２-３日の期間内における８-１２回の通常のインスリン注射よりも、むしろ、同じ期間内で単一回の針挿入のみを好む患者のために意図されている。装用可能な注入装置の利点は、患者が、注射器又は注射ペンのような他の送達方法よりも少ないニードル穿刺に被らされることである。
【０００４】
装用可能な注入装置が患者の皮膚に取り付けられ、そして起動されると、注入装置からの中空針が患者の皮膚に注入され、そして駆動機構が当該針を介して患者に薬剤を投与すべく作動される。典型的には、注入装置内において、当該針は、薬剤を含有するリザーバと連通している。参照により本明細書に組み込まれている、Tsals et al.への特許文献１（米国特許第５８５８００１号）は、患者の皮膚に取り付けられている部材に対する、薬剤のリザーバを包含している本体の旋回作用によって起動される注入装置を開示している。起動の際に、特許文献１の装置は、プライミ（呼び水）され、そして、針が患者の皮膚を穿刺し、薬剤の投与を生じさせる。当該装置が取り外されるまで、当該針は皮膚に取り付けられたままに残る。他のタイプの注入装置も当外技術分野において知られている。
【０００５】
いくつかの注入装置において、起動は厄介な又は  不正確であり得、ユーザに不快感を引き起こし得る。例えば、特許文献１の装置においては、薬剤リザーバと針とを含んでいる。本体の患者の皮膚に取り付けられた部材に対する旋回動作が必要とされ、それは起動、ユーザへの可能な不快感、針の不要な接触部への可能な曝露、及びその他の関連する問題のために追加のスペースを必要とする。先行技術の注入装置はまた、それらが時には偶発起動を防止することができる安全装置を欠いているので、不用意な起動を受け易い。
【先行技術文献】
【特許文献】
【０００６】
【特許文献１】米国特許第５、８５８、００１号明細書
【発明の概要】
【発明が解決しようとする課題】
【０００７】
したがって、改良された注入装置、特に、装置の起動が個別で、衛生的かつ正確であり、そして意図しない起動の可能性を最小限に抑える装用可能な注入装置への必要性が存在している。
【０００８】
本発明の目的は、注入装置、特に装用可能な注入装置であって、それは、正確な起動が可能で、使用の最適な快適さとユーザへの利便性を提供しながら、不用意な起動の可能性を最小限にする安全機能を有する注入装置を提供することである。
【課題を解決するための手段】
【０００９】
この目的及び他の目的は、注入装置の不用意な起動を防止すべく意図されている安全機能を備える注入装置を提供することによって実質的に達成され、そこで当該安全装置は嵩高さとユーザへの不快感を最小限に抑えるべく注入装置の形状に適合している。
【図面の簡単な説明】
【００１０】
本発明の例示的な実施形態のさまざまな目的、利点及び新規な特徴は、添付の図面と併せて読めば、以下の詳細な説明からより容易に理解されるであろう。
【図１】本発明の実施形態に従った装用可能な注入装置の斜視図であり、安全カバーがその上に取り付けられて示されている。
【図２】図１の注入装置の斜視図であり、安全カバーなしで示されている。
【図３】図１の注入装置の側面図であり、安全カバーなしで示されている。
【図４】図２の注入装置の本体の起動ボタン及び突出壁部の拡大された拡大図であり、安全カバーなしで示されている。
【図５】図２の注入装置の斜視背面図である。
【図６】図１の注入装置の安全カバーの部分断面図である。
【図７】本発明の実施形態に従う別の装用可能な注入装置の斜視図であり、その上に安全カバーが取り付けられて示されている。
【発明を実施するための形態】
【００１１】
図１乃至６は、本発明の第１実施形態を示している。装用可能な注入装置１は、リザーバ（図示せず）が収納された本体１０を含んでいる。リザーバは、長期間、例えば、２〜３日、ユーザにインスリンを送達するのに十分な液体の薬剤の必要量、典型的には、インスリンで満たされている。接着剤ライナー３が注入装置１の背面に取り付けられ、そしてそれは腹部などのインスリン療法のための適切な位置におけるユーザの皮膚に付着することができる。
【００１２】
注入装置１は、針を介して内部リザーバからユーザに液体の薬剤を送達するための中空送達針（図示せず）を収納している。注入装置１はまた、薬剤がリザーバから針に流れるように送達針をプライミ（呼び水）し、且つユーザに薬剤を送達するためにユーザの皮膚へ送達針を駆動する駆動機構（図示せず）を含んでいる。患者への薬剤の送達が生じるためには、ユーザ/患者は、接着剤ライナー３を介して彼又は  彼女の皮膚に注入装置１を付着させ、そして、針をユーザの皮膚に挿入しインスリンを患者に送達させるための駆動機構を作動させる押しボタン１５を起動する。
【００１３】
注入装置１はまた、押しボタン１５の不用意な起動を防止するための安全機能を含んでいる。安全機能は、本体１０から突出して、好ましくは、図２-４に示されるように、押しボタン１５の近傍に位置された壁部１２を含んでいる。安全機能はまた、本体１０に取り付け可能で取り外し可能な安全カバー２を含んでいる。その結果、安全カバー２は、図１に示されるように、偶発的すなわち意図的でない起動から押しボタン１５を遮蔽する。
【００１４】
安全カバー２は、ユーザが適切な時間に押しボタン１０を意図的に押すことができるように、押しボタン１５を露出させるべく、本体１０上を摺動可能である。一実施形態において、本体１０は、本体１０の上側及び下側に案内レール１１a、１１bを備えている（図１〜３及び５参照）。安全カバー２は、当該安全カバー２が注入装置１の本体１０上を図１のような第１の位置（そこでは、当該安全カバー２が押しボタン１５を遮蔽する）と図２のような第２の位置（そこでは、当該安全カバー２は押しボタン１５を遮蔽しない）との間で摺動可能であるように、その上部分及び下部分に案内レール１１a、１１bを受け入れる溝２３のような特徴部を含んでいる。安全カバー２は、起動のために押しボタン１５を完全に露出させるか又は部分的に露出させるべく当該安全カバー２が突出壁部１２から離れるように摺動される第２の位置において、本体１０に部分的に取り付けられたまま残ることができる。押しボタン１５が起動されると、医薬品は薬剤が枯渇するまで、患者の皮膚内に注入される。
【００１５】
別の実施形態では、本体１０の案内レール１１a、１１b及び安全カバー２の対応する溝２３が、安全カバー２を本体に取り付ける、及び/又は摺動させるための磁石（図示せず）で置き換えられることができる。磁力を使用すると、安全カバー２を押しボタン１５に関連させて正確に位置決めすることができる。別の実施形態においては、安全カバー２が本体１０に取り付け可能であるように、本体１０が１つ以上の磁石（図示しない）を含み、そして安全カバー２は対応する金属又は磁性構造体（図示せず）を含んでいる。さらに別の実施形態では、安全カバー２が本体１０に取り付け可能で摺動可能であるように、安全カバー２が１つ以上の磁石（図示せず）を含み、本体１０は対応する金属又は磁性構造体（図示せず）を含んでいる。安全カバー２は、図１に示すように、ユーザが安全カバー２を掴むのを支援することができる把持部２５を含んでいる。把持部２５は安全カバー２の上部分及び下部分における突起や窪みであってもよい。
【００１６】
一実施形態では、安全カバー２は、図１に示すように、安全カバー２がその第１の位置にあるときに、押しボタン１５を遮蔽するための球根状部分２１を含んでいる。押しボタン１５の球根状部分２１の断面は、図６に示されている。球根状部分２１はスプーン形状に似ており、それが押しボタン１５の上に位置又は摺動されたときには、外力が球根状部分２１に加えられた場合にも、押しボタン１５が意図せずに押され，すなわち、起動されないように、球根状部分２１と押しボタン１５との間には十分な隙間が存在する。
【００１７】
安全カバー２が押しボタンを遮蔽する第１の位置に安全カバー２を維持するのを助けるために、注入装置１の本体１０には、図１に示すように、突出壁部１２が設けられている。第１の位置では、図１に示されるように、突出壁部１２が安全カバー２の突出壁部１２に向かう方向へのさらなる摺り移動を防ぎ、そして押しボタン１５を遮蔽するために安全カバー２を位置決めする。この位置では、球根状部２１の先端部２２が注入装置１の突出壁部１２に接触してもよい。
【００１８】
当該突出壁部１２は、好ましくは、押しボタン１５の周囲に構成されている。例えば、壁部１２は、図３及び図４に示すように、その端部において後退する半月形状であってもよい。壁部１２の外側縁部は、好ましくは、ユーザの快適さのために丸められている。
【００１９】
図２に示すように、カバー２が外された状態で、壁部１２はまた、図３及び４に示されるように、押しボタン１５が意図せずに起動されることから部分的に遮蔽するように機能する。壁部１２はまた、注入装置１を起動するための押しボタン１５を位置決めする案内として使用することができる。この特徴部は、注入装置１の離散的な起動又は押しボタン１５を視覚障害者のために容易に位置付ける案内として有用であり得る。
【００２０】
押しボタン１５が作動されると、送達針（図示せず）が注入装置１の本体１０の裏面から延在する。図５に示すように、当該針はユーザの皮膚を穿刺するために、ライナー３のスロット３１を通って本体１０の開口部１９から延びている。一実施形態では、本体１０の前面は、図１及び図２に示すように、注入療法のさまざまな段階を示す１つ以上のインジケータ１３を含んでいる。インジケータは、色分けすることができる。加えて、本体１０の前面は、ユーザがリザーバ内に残っている薬剤の量を確認する及び/又は注入装置１の動作を監視するのを可能にする窓１４を含んでいてもよい。一実施形態では、図２に示すような、本体１０の前面の前方しるし１７は、針がユーザの皮膚に挿入するであろう、本体１０の背面における針開口部１９のおおよその位置を提供する。これは、ユーザの皮膚の所望の位置に針を挿入するに際し、ユーザを支援することができる。図２に示された前方のしるし１７は、外側の円によって囲まれた黒丸を有する目標（例えば、牛の目）マークとして示されている。前方のしるし１７は、十字マーキングのような他のマーキングの形態であってもよい。本体１０の裏面は、図５に示すように、注入装置１の直立位置を指示するための後方しるし１８を含んでいてもよい。これらの後方しるし１８は、透明又はシースルーのライナー３を介して可視である。
【００２１】
図７は、本発明による装用可能な注入装置の別の実施形態を示す。この実施形態では、安全ボタン１５を意図しない起動から保護するために安全カバー２aが本体１０に取り付けられたときに、当該安全カバー２aは安全ボタン１５が可視であるようにする透明又は半透明の材料からなる透明又は半透明の部分２bを含んでいる。透明又は半透明の部分２bは、その起動の前に安全ボタン１５を露出させるために、本体１０からカバー２aが摺動され又は取り外される方向を指している矢印の形態のしるし２cを含むことができる。本体１０はまた、図１-６の実施形態における案内レール１１a、１１bの代わりに、その上側及び下側に隆起１１cを含み、これに安全カバー２aにおける対応するスロット（図示せず）が、当該安全カバー２aを本体１０に取り付けるために、摩擦係合することができる。安全カバー２aを本体１０から取り外すためには、ユーザが本体１０を保持し、安全カバー２aの矢印のしるし２cの方向に当該カバーを押圧し、安全カバー２aを本体１０の隆起１１cから解放することができる。図７はまた、図１における接着剤ライナー３とは異なる接着剤ライナー部３aの一部を示し、前者は円形の穴を含んでいるが後者はそうではない。
【００２２】
本発明の少数の例示的な実施形態が上で詳細に説明されたが、多くの変更が本発明の新規な教示及び利点から実質的に逸脱することなく例示的な実施形態において可能であることを、当業者は容易に理解するであろう。従って、全てのそのような変更は、添付の特許請求の範囲及びその均等物で画定される本発明の範囲に含まれるべく意図されている。
【図１】
2015512759.tif 000003
【図２】
2015512759.tif 000004
【図３】
2015512759.tif 000005
【図４】
2015512759.tif 000006
【図５】
2015512759.tif 000007
【図６】
2015512759.tif 000008
【図７】
2015512759.tif 000009
【国際調査報告】
2015512759.tif 000010